(57)【要約】【課題】異なる導電層に配置された配線の接続不良を防止する表示装置を提供することを目的とする。【解決手段】複数の表示画素ＰＸによって構成された有効表示部６を備えた液晶表示パネル１を備えた液晶表示装置であって、液晶表示パネル１上に配置された下層配線ＷＬと、下層配線ＷＬ上に配置された絶縁膜１４を介して下層配線ＷＬの一部と対向する上層配線ＷＵと、を備え、下層配線ＷＬと上層配線ＷＵとは、絶縁膜１４の下層配線ＷＬと上層配線ＷＵとが対向する接続部１４Ａに形成された複数のコンタクトホールＨ１、Ｈ２を介して接続し、下層配線ＷＬは、上層配線ＷＵに対向したエッジＥの少なくとも１箇所に凹部１２を有する。【選択図】図２
2007027387.tif 000002
【特許請求の範囲】
【請求項１】
複数の表示画素によって構成された有効表示部を備えた表示パネルを備えた表示装置であって、
前記表示パネル上に配置された第1配線と、
前記第1配線上に配置された絶縁膜を介して前記第1配線の一部と対向する第２配線と、を備え、
前記第1配線と前記第２配線とは、前記絶縁膜の前記第1配線と前記第２配線とが対向する接続部に形成された複数のコンタクトホールを介して接続し、
前記第１配線は、前記第２配線に対向したエッジの少なくとも１箇所に凹部を有する表示装置。
【請求項２】
前記接続部は、前記有効表示部の外側に位置する外周部に配置されている請求項１記載の表示装置。
【請求項３】
前記コンタクトホールのそれぞれは、第１配線及び第２配線の少なくとも一方が延びる方向に沿って並んでいる請求項１記載の表示装置。
【請求項４】
前記凹部は、複数のコンタクトホールが並ぶ方向に延びるエッジに形成されている請求項１記載の表示装置。
【請求項５】
前記第２配線の幅は、前記第１配線の幅よりも大きい請求項１記載の表示装置。
【請求項６】
前記複数のコンタクトホールが並ぶ方向において、前記凹部は前記複数のコンタクトホールの間に形成された請求項１記載の表示装置。
【発明の詳細な説明】
【技術分野】
【０００１】
この発明は、表示装置に係り、特に、高密度に配置された配線を備える表示装置に関する。
【背景技術】
【０００２】
液晶表示装置等の表示装置は、マトリクス状の表示画素によって構成された有効表示部を備えている。この有効表示部は、表示画素の行方向に沿って延在する複数の走査線、表示画素の列方向に沿って延在する複数の信号線、これら走査線と信号線との交差部付近に配置されたスイッチング素子、スイッチング素子に接続された画素電極などを備えている。これら各走査線及び各信号線は、有効表示部の外周部に引き出されている。
【０００３】
上記の液晶表示装置は、複数の導電層、例えば、スイッチング素子のゲート電極が配置された導電層、ソース電極やドレイン電極などが配置された導電層、画素電極が配置された導電層等を有している。有効表示部及び有効表示部の外周部に配置された各種配線は、複数の導電層のいずれかに形成されている。異なる導電層に形成された配線は、導電層間に配置された絶縁膜のコンタクトホールを介して接続されている。
【０００４】
このとき、このコンタクトホールの異常による接続不良や、下層に配置された配線のエッジによって形成された段差部で上層配線が断線することによる接続不良等が発生する場合があった。
【０００５】
従来、接続不良を生ずることなく接続された多層配線構造を実現する技術として、特許文献１に記載の技術が知られている。
【特許文献１】特開平５−３４７３５８号公報
【発明の開示】
【発明が解決しようとする課題】
【０００６】
しかし上記の方法は、複数のコンタクトホールの集合体を形成することによって広幅の下層配線とボンディングパッドとの接続不良を改善するものであって、上層及び下層にそれぞれ配置された配線同士の接続について適用するのは難しい。すなわち、上層配線が下層配線を乗り上げる段差部での断線による接続不良を生ずるおそれがある。
【０００７】
本発明は、上述した問題点に鑑みなされたものであって、その目的は、異なる導電層に配置された配線の接続不良を防止することが可能な表示装置を提供することにある。
【課題を解決するための手段】
【０００８】
複数の表示画素によって構成された有効表示部を備えた表示パネルを備えた表示装置であって、前記表示パネル上に配置された第1配線と、前記第1配線上に配置された絶縁膜を介して前記第1配線の一部と対向する第２配線と、を備え、前記第1配線と前記第２配線とは、前記絶縁膜の前記第1配線と前記第２配線とが対向する接続部に形成された複数のコンタクトホールを介して接続し、前記第１配線は、前記第２配線に対向したエッジの少なくとも１箇所に凹部を有する表示装置。
【発明の効果】
【０００９】
この発明によれば、異なる導電層に配置された配線の接続不良を防止することが可能な表示装置を提供することができる。
【発明を実施するための最良の形態】
【００１０】
以下、この発明の一実施の形態に係る表示装置について図面を参照して説明する。
【００１１】
図１に示すように、表示装置の一例としての液晶表示装置は、略長方形平板状の液晶表示パネル１を備えている。この液晶表示パネル１は、一対の基板すなわちアレイ基板３及び対向基板４と、これら一対の基板の間に光変調層として保持された液晶層５と、によって構成されている。この液晶表示パネル１は、画像を表示する略長方形状の有効表示部６を備えている。この有効表示部６は、マトリクス状に配置された複数の表示画素ＰＸや、各表示画素ＰＸに駆動信号を供給する複数の信号供給配線などによって構成されている。
【００１２】
アレイ基板３は、有効表示部６に配置された信号供給配線として、例えば、表示画素ＰＸの行方向（Ｘ方向）に沿って延在する複数の走査線Ｙ（１、２、３、…、ｍ）や、表示画素ＰＸの列方向（Ｙ方向）に沿って延在する複数の信号線Ｘ（１、２、３、…、ｎ）などを備えている。
【００１３】
また、アレイ基板３は、有効表示部６において、これらの信号供給配線の他に、これら走査線Ｙと信号線Ｘとの交差部付近において表示画素ＰＸ毎に配置されたスイッチング素子７、スイッチング素子７に接続された画素電極８などを備えている。
【００１４】
対向基板４は、有効表示部６において、全表示画素ＰＸに共通の対向電極９などを備えている。これらアレイ基板３及び対向基板４は、全表示画素ＰＸの画素電極８と対向電極９とを対向させた状態で配設され、これらの間にギャップを形成する。液晶層５は、アレイ基板３と対向基板４とのギャップに封止された液晶組成物によって形成されている。
【００１５】
カラー表示タイプの液晶表示装置では、液晶表示パネル１は、複数種類の表示画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板３または対向基板４の主面に配置される。
【００１６】
液晶表示パネル１は、有効表示部６の外側に位置する外周部１０に配置された、第１接続部３１及び第２接続部３２を備えている。第１接続部３１は、信号供給配線に駆動信号を供給する信号供給源として機能する駆動ＩＣ１１と接続可能である。第２接続部３２は、信号供給源として機能するフレキシブル配線基板ＦＰＣと接続可能である。図１に示した例では、これら第１接続部３１及び第２接続部３２は、対向基板４の端部４Ａより外方に延在したアレイ基板３の延在部１０Ａ上に配置されている。駆動ＩＣ１１と第１接続部３１とは、例えば異方性導電膜を介して電気的及び機械的に接続される。
【００１７】
駆動ＩＣ１１は、信号線Ｘに駆動信号を供給する信号線駆動部１１Ｘ、及び走査線Ｙに駆動信号を供給する走査線駆動部１１Ｙを有している。走査線駆動部１１Ｙは、接続配線ＷＹを介して各走査線Ｙ（１、２、３、…）と電気的に接続されている。つまり、走査線駆動部１１Ｙから出力された駆動信号は、各接続配線ＷＹを介して対応する各走査線Ｙ（１、２、３、…）に供給される。各行の各表示画素ＰＸに含まれるスイッチング素子７は、対応する走査線Ｙから供給された走査信号に基づいてオン・オフ制御される。
【００１８】
また、信号線駆動部１１Ｘは、接続配線ＷＸを介して各信号線Ｘ（１、２、３、…）と電気的に接続されている。つまり、信号線駆動部１１Ｘから出力された駆動信号は、各接続配線ＷＸを介して対応する各信号線Ｘ（１、２、３、…）に供給される。各列の各表示画素ＰＸに含まれるスイッチング素子７は、オンしたタイミングで対応する信号線Ｘから供給された映像信号を画素電極８に書き込む。
【００１９】
スイッチング素子７は、薄膜トランジスタ（ＴＦＴ）などで構成されている。このスイッチング素子７のゲート電極７Ｇは、対応する走査線Ｙに電気的に接続されている（あるいは走査線と一体に形成されている）。スイッチング素子７のソース電極７Ｓは、対応する信号線Ｘに電気的に接続されている（あるいは信号線と一体に形成されている）。スイッチング素子７のドレイン電極７Ｄは、対応する表示画素ＰＸの画素電極８に電気的に接続されている。
【００２０】
アレイ基板３は複数の導電層、例えば、ゲート電極７Ｇは配置されている導電層、ソース電極７Ｓとドレイン電極７Ｄが配置されている導電層、画素電極８が配置されている導電層等を有している。有効表示部６及び外周部１０に配置された信号線Ｘ、走査線Ｙ、及び接続配線ＷＸ、ＷＹ等の各種配線は、アレイ基板３におけるいずれかの導電層に配置されている。
【００２１】
上記のように、異なる導電層に各種配線を形成すると、アレイ基板３上の異なる導電層に配置された配線を接続する場合がある。例えば、図２及び図３に示すように、駆動ＩＣ１１が接続される部分には検査配線Ｗ１が配置されている。この検査配線Ｗ１は、第１導電層ＧＬに配置された下層配線ＷＬ（第１配線）と、第２導電層ＳＤＬに配置された上層配線ＷＵ（第２配線）とを有している。
【００２２】
図３に示すように、下層配線ＷＬ上には絶縁膜１４が配置されている。さらに、絶縁膜１４上の第２導電層ＳＤＬには、上層配線ＷＵが配置されている。絶縁膜１４は、上層配線ＷＵと下層配線ＷＬとが対向する接続部１４Ａを有している。下層配線ＷＬと上層配線ＷＵとは、絶縁膜１４の接続部１４Ａに形成された複数のコンタクトホール、すなわち第１コンタクトホールＨ１及び第２コンタクトホールＨ２を介して接続している。下層配線ＷＬは、上層配線ＷＵに対向したエッジＥの少なくとも１箇所に凹部１２を有している。
【００２３】
図２に示した例では、下層配線ＷＬ及び上層配線ＷＵは、例えば共に信号線Ｘが延びる方向（Ｙ方向）に延びている。第１及び第２コンタクトホールＨ１、Ｈ２は、下層配線ＷＬ及び上層配線ＷＵが延びる方向（Ｙ方向）に沿って並んでいる。下層配線ＷＬは、Ｙ方向に延びるエッジＥに凹部１２を有している。凹部１２は、第１及び第２コンタクトホールＨ１、Ｈ２が並ぶ方向（Ｙ方向）において、第１コンタクトホールＨ１と第２コンタクトホールＨ２との間に形成されている。
【００２４】
凹部１２は、例えばコの字型に形成されており、Ｙ方向に延びる第１エッジ１２Ｅ１と、第１エッジ１２Ｅ１に略直交するＸ方向に延びる２つの第２エッジ１２Ｅ２とを有している。Ｙ方向に延びる上層配線ＷＵの幅Ｌ１は下層配線ＷＬの幅Ｌ２よりも大きい。なお、ここでの配線の幅とは、配線の延びる方向に直交する方向の長さに相当し、図２に示した例では、Ｘ方向の長さに相当する。上層配線ＷＵは、下層配線ＷＬを覆うように配置されている。つまり、上層配線ＷＵは、下層配線ＷＬにおける凹部１２及び凹部１２が形成された２つのエッジＥに対向するように配置されている。
【００２５】
上記のような凹部１２を有する下層配線ＷＬ上に絶縁膜１４を配置すると、図３に示すように、凹部１２の第２エッジ１２Ｅ２上に配置される絶縁膜１４の傾斜は、下層配線ＷＬの先端側のエッジＥ上に配置される絶縁膜１４の傾斜よりも緩やかになる。すなわち、上層配線ＷＵを絶縁膜１４上に配置したときに凹部１２上にできる段差部の傾斜は、エッジＥ上にできる段差部よりも緩やかになる。このことから、絶縁膜１４上に上層配線ＷＵを配置した際、凹部１２上に配置される上層配線ＷＵの断線を抑制することができる。
【００２６】
また、下層配線ＷＬと上層配線ＷＵとは第１及び第２コンタクトホールＨ１、Ｈ２を介して接続されるため、一方のコンタクトホール、例えば第１コンタクトホールＨ１の異常によって接続不良が生じた場合であっても、第２コンタクトホールＨ２によって下層配線ＷＬと上層配線ＷＵとを接続することが可能であり、下層配線ＷＬと上層配線ＷＵとを接続するためのコンタクトホールの数を増やすほど、コンタクトホールの異常により接続不良が発生する確率を低減できる。
【００２７】
上記のように、下層配線ＷＬと上層配線ＷＵとを第１及び第２コンタクトホールＨ１、Ｈ２を介して接続し、下層配線ＷＬが上層配線ＷＵと対向するエッジＥに凹部１２を有することによって、下層配線ＷＬと上層配線ＷＵとの断線不良の発生を抑制することができる。
【００２８】
また、異なる導電層に配置された配線を接続する構成は、上記の検査配線Ｗ１の場合の構成に限らす、例えば、図４に示すような下層配線ＷＬ及び上層配線ＷＵの構成であっても良い。以下に、液晶表示パネル１の有効表示部６及び外周部１０において、異なる導電層に配置された配線を接続する他の構成について図４を用いて説明する。なお、図４に示す構成は、下層配線ＷＬ及び上層配線ＷＵの延びる方向、第１及び第２コンタクトホールの配置、及び、凹部１２の配置以外の点は上記の実施形態と同様の構成であるため、ここでは詳細な説明を省略する。
【００２９】
図４（ａ）〜図４（ｃ）に示す場合は、図２に示す場合と同様に、下層配線ＷＬ及び上層配線ＷＵが共にＹ方向に延びている。図４（ａ）に示す場合は、下層配線ＷＬと上層配線ＷＵとがＸ方向に並ぶ第１及び第２コンタクトホールＨ１、Ｈ２を介して接続されている。下層配線ＷＬは、第１及び第２コンタクトホールＨ１、Ｈ２が並ぶ方向（Ｘ方向）に延びるエッジＥに凹部１２を有している。凹部１２は、Ｘ方向において、第１コンタクトホールＨ１と第２コンタクトホールＨ２との間に配置されている。
【００３０】
図４（ｂ）に示す場合は、図２に示す場合と同様に、下層配線ＷＬと上層配線ＷＵとがＹ方向に並ぶ第１及び第２コンタクトホールＨ１、Ｈ２を介して接続されている。下層配線ＷＬは、第１及び第２コンタクトホールＨ１、Ｈ２が並ぶ方向（Ｙ方向）に対して略直交する方向（Ｘ方向）に延びるエッジＥに凹部１２を有している。
【００３１】
図４（ｃ）に示す場合は、図４（ｂ）に示す場合と同様に、下層配線ＷＬと上層配線ＷＵとがＹ方向に並ぶ第１及び第２コンタクトホールＨ１、Ｈ２を介して接続されている。下層配線ＷＬは、第１及び第２コンタクトホールＨ１、Ｈ２が並ぶ方向（Ｙ方向）に延びるエッジＥに凹部１２を有している。凹部１２は、Ｙ方向において、第１コンタクトホールＨ１と上層配線ＷＵのＸ方向に延びるエッジＥＵとの間に配置されている
図４（ｄ）に示す場合は、下層配線ＷＬがＸ方向に延び、上層配線ＷＵがＹ方向に延びている。下層配線ＷＬと上層配線ＷＵとは、Ｘ方向に並ぶ第１及び第２コンタクトホールＨ１、Ｈ２を介して接続されている。下層配線ＷＬは、第１及び第２コンタクトホールＨ１、Ｈ２が並ぶ方向に延びるエッジＥに凹部１２を有している。凹部１２は、第１及び第２コンタクトホールＨ１、Ｈ２が並ぶ方向において、コンタクトホールＨ１とコンタクトホールＨ２との間に配置されている。
【００３２】
上記の図４（ａ）〜図４（ｄ）に示す場合も、図２に示す場合と同様に、凹部１２上に配置される絶縁膜１４の傾斜を緩やかにすることができ、上層配線ＷＵの断線を抑制することができる。このことによって、上層配線ＷＵが下層配線ＷＬのエッジＥ上に配置される部分で断線した場合であっても、上層配線ＷＵの凹部１２上に配置される部分で断線が抑制されるため、上層配線ＷＵと下層配線ＷＬとは第１及び第２コンタクトホールＨ１、Ｈ２を介して接続される。
【００３３】
なお、この発明は、上記実施形態そのままに限定されるものではなく、その実施の段階ではその要旨を逸脱しない範囲で構成要素を変形して具体化できる。例えば、上記の実施形態では、駆動ＩＣ１１が配置される部分の検査配線Ｗの構成について説明したが、有効表示部６及び外周部１０において、異なる導電層に配置された配線を接続する部分であれば上記の実施形態と同様の効果が得られる。
【００３４】
また、上記の実施形態では、凹部１２は第１及び第２エッジ１２Ｅ１、１２Ｅ２により構成されているが、凹部１２の形状は、円弧状や、２つ以上のエッジによって構成されていても良い。この場合にも、凹部１２上に配置される絶縁膜１４の傾斜を緩やかにすることができ、上層配線ＷＵの断線を抑制することができる。
【００３５】
また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。図２に示す下層配線ＷＬは、Ｙ方向に延びる２つのエッジＥにそれぞれ１つの凹部１２が配置されているが、それぞれのエッジＥに複数の凹部１２を配置しても良い。この場合にも、それぞれの凹部１２上に配置される絶縁膜１４の傾斜を緩やかにすることができ、上層配線ＷＵの断線を抑制することができる。
【図面の簡単な説明】
【００３６】
【図１】この発明の一実施の形態に係る液晶表示装置の液晶表示パネルを概略的に示す図。
【図２】図１に示した液晶表示パネルにおける検査配線を接続する構成を概略的に示す図。
【図３】図２に示した検査配線をＡ−Ａで切断した断面の一例を示す図。
【図４】（ａ）〜（ｄ）：図１に示した液晶表示パネルにおける配線を接続する他の構成例を概略的に示した図。
【符号の説明】
【００３７】
ＰＸ…表示画素、Ｙ（１、２、…、ｍ）…走査線、Ｘ（１、２、…、ｎ）…信号線、ＦＰＣ…フレキシブル配線基板、１…液晶表示パネル、３…アレイ基板、４…対向基板、５…液晶層、６…有効表示部、７…スイッチ素子、７Ｇ…ゲート電極、７Ｓ…ソース電極、７Ｄ…ドレイン電極、８…画素電極、９…対向電極、１０…外周部、１０Ａ…延在部、１１…駆動ＩＣ、１１Ｘ…信号線駆動部、１１Ｙ…走査線駆動部、１２…凹部、１２Ｅ１…第１エッジ、１２Ｅ２…第２エッジ、１４…絶縁膜、Ｅ…エッジ、Ｈ１…第１コンタクトホール、Ｈ２…第２コンタクトホール、Ｗ１…検査配線、ＷＬ…下層配線、ＷＵ…上層配線、ＷＸ、ＷＹ…接続配線、ＧＬ、ＳＤＬ、ＰＬ…導電層
【図１】
2007027387.tif 000003
【図２】
2007027387.tif 000004
【図３】
2007027387.tif 000005
【図４】
2007027387.tif 000006